(57)【要約】【課題】ユーザの視覚的負担を軽減できるようにする。【解決手段】制御部３７は、視線検出部３９の検出結果に基づいて、表示部１２が、ユーザの視線が予め設定されている所定の時間以上検出されなかった非注目表示部であると判断した場合、輝度処理部４０を制御し、輝度信号に１以下の係数を乗算し、ユーザの視線が所定の時間以上検出された注目表示部であると判断された場合の映像に較べて、相対的に目立たなく、暗く出力するように映像信号を調整する。また、制御部３７は、色差処理部４１を制御し、色差信号を標準値に調整する。表示制御部４２は、輝度処理部４０により調整された輝度信号、および、色差処理部４１により調整された色差信号を合成し、表示部１２に出力し、表示させる。本発明は、テレビジョン受像機に適用することができる。【選択図】　　　図２
2004070103.tif 000002
【特許請求の範囲】
【請求項１】
表示部に映像を表示させる映像信号処理装置において、
前記表示部に対するユーザの視線を検出する視線検出手段と、
前記視線検出手段による検出結果に基づいて、前記表示部が前記ユーザの視線が所定の時間以上検出されている注目表示部であるのか、前記ユーザの視線が前記所定の時間以上検出されない非注目表示部であるのかを判定する注目表示部判定手段と、
前記注目表示部判定手段により、前記表示部が前記非注目表示部であると判定された場合、前記非注目表示部に表示される映像の映像信号を、前記表示部が前記注目表示部である場合に前記注目表示部に表示される映像に較べて、相対的に目立たなくなるように調整する調整手段と
を備えることを特徴とする映像信号処理装置。
【請求項２】
前記調整手段は、前記表示部が前記非注目表示部である場合、前記映像信号に１以下の係数を乗じて前記映像信号を調整する
ことを特徴とする請求項１に記載の映像信号処理装置。
【請求項３】
前記調整手段は、前記表示部が前記非注目表示部である場合、前記映像信号を白黒の映像信号になるように調整する
ことを特徴とする請求項１に記載の映像信号処理装置。
【請求項４】
前記表示部が前記注目表示部である場合、表示されている映像がＣＭの映像であるか否かを判定するＣＭ判定手段をさらに備え、
前記ＣＭ判定手段により前記注目表示部の映像が前記ＣＭの映像であると判定された場合、前記調整手段は、前記ＣＭ判定手段により前記ＣＭの映像ではないと判定された場合の映像と較べて、相対的に目立たなくなるように前記注目表示部の前記映像信号を調整する
ことを特徴とする請求項１に記載の映像信号処理装置。
【請求項５】
指定条件を予め入力する入力手段と、
前記非注目表示部の映像が、前記入力手段により入力された前記指定条件を満たすか否かを判定する条件判定手段と
をさらに備え、
前記条件判定手段により前記非注目表示部の映像が前記指定条件を満たさないと判定された場合、前記調整手段は、前記条件判定手段により前記映像が前記指定条件を満たすと判定された場合の映像と較べて、相対的に目立たなくなるように、前記非注目表示部の映像信号を調整する
ことを特徴とする請求項１に記載の映像信号処理装置。
【請求項６】
前記指定条件は、コンテンツのカテゴリである
ことを特徴とする請求項５に記載の映像信号装置。
【請求項７】
表示部に映像を表示させる映像信号処理装置の映像信号処理方法において、
前記表示部に対するユーザの視線を検出する視線検出ステップと、
前記視線検出ステップの処理による検出結果に基づいて、前記表示部が前記ユーザの視線が所定の時間以上検出されている注目表示部であるのか、前記ユーザの視線が前記所定の時間以上検出されない非注目表示部であるのかを判定する注目表示部判定ステップと、
前記注目表示部判定ステップの処理により、前記表示部が前記非注目表示部であると判定された場合、前記非注目表示部に表示される映像の映像信号を、前記表示部が前記注目表示部である場合に前記注目表示部に表示される映像に較べて、相対的に目立たなくなるように調整する調整ステップと
を含むことを特徴とする映像信号処理方法。
【請求項８】
表示部に映像を表示させる映像信号処理装置用のプログラムにおいて、
前記表示部に対するユーザの視線を検出する視線検出ステップと、
前記視線検出ステップの処理による検出結果に基づいて、前記表示部が前記ユーザの視線が所定の時間以上検出されている注目表示部であるのか、前記ユーザの視線が前記所定の時間以上検出されない非注目表示部であるのかを判定する注目表示部判定ステップと、
前記注目表示部判定ステップの処理により、前記表示部が前記非注目表示部であると判定された場合、前記非注目表示部に表示される映像の映像信号を、前記表示部が前記注目表示部である場合に前記注目表示部に表示される映像に較べて、相対的に目立たなくなるように調整する調整ステップと
を含むことを特徴とするコンピュータが読み取り可能なプログラムが記録されている記録媒体。
【請求項９】
表示部に映像を表示させる映像信号処理装置のコンピュータに、
前記表示部に対するユーザの視線を検出する視線検出ステップと、
前記視線検出ステップの処理による検出結果に基づいて、前記表示部が前記ユーザの視線が所定の時間以上検出されている注目表示部であるのか、前記ユーザの視線が前記所定の時間以上検出されない非注目表示部であるのかを判定する注目表示部判定ステップと、
前記注目表示部判定ステップの処理により、前記表示部が前記非注目表示部であると判定された場合、前記非注目表示部に表示される映像の映像信号を、前記表示部が前記注目表示部である場合に前記注目表示部に表示される映像に較べて、相対的に目立たなくなるように調整する調整ステップと
を実行させることを特徴とするプログラム。
【発明の詳細な説明】
【０００１】
【発明の属する技術分野】
本発明は、映像信号処理装置および方法、記録媒体、並びにプログラムに関し、特に、ユーザの視覚的負担を抑制し、かつ、操作性を改善するようにした映像信号処理装置および方法、記録媒体、並びにプログラムに関する。
【０００２】
【従来の技術】
複数チューナ内蔵の１台のテレビジョン受像機の表示画面を複数の領域に分割してマルチウインドウ化し、複数のコンテンツを各ウインドウに同時に表示させることが知られている。この場合、同一画面上に、１つの主画面と複数の子画面が存在することになり、主に主画面を見るユーザにとって子画面の画像は、視覚的に負担になる場合があった。
【０００３】
特開２００１−１７５２３９号公報には、この負担を回避するために、子画面のうち、特に動きが激しい画像を表示している子画面に対しては、その映像信号の輝度を下げる処理を実行することにより、子画面を暗く表示し、ユーザの視覚的負担を減らすことが提案されている。
【０００４】
【発明が解決しようとする課題】
しかしながら、上記の提案においては、ユーザの視覚的負担は軽減されるものの、ユーザが子画面に表示されている画像の中から所定の画像を選択するとき、子画面の画像は見にくいので、一旦、主画面に表示させ、気に入らなければ、他の子画面の画像を主画面に表示させるといった操作を繰り返さなければならない。そして、ユーザは、その都度、リモートコントローラなどの操作ツールを用いて、操作しなければならず、操作性が悪いという課題があった。
【０００５】
さらに、マルチウインドウ化の画面においては、１つの画面を分割して複数の子画面を生成しているため、１つ１つの子画面の解像度は、分割する前の画面の解像度と較べて低くなり、画面表示の品質が劣化してしまうという課題があった。
【０００６】
また、この画面の解像度を保証するために、１つの画面を分割するのではなく、複数台のテレビジョン受像機を用いることもできるが、この場合、消費電力が大きくなってしまうという課題があった。
【０００７】
本発明はこのような状況に鑑みてなされたものであり、ユーザの視覚的負担を抑制し、かつ、操作性を改善するものである。
【０００８】
【課題を解決するための手段】
本発明の映像信号処理装置は、表示部に対するユーザの視線を検出する視線検出手段と、視線検出手段による検出結果に基づいて、表示部がユーザの視線が所定の時間以上検出されている注目表示部であるのか、ユーザの視線が所定の時間以上検出されない非注目表示部であるのかを判定する注目表示部判定手段と、注目表示部判定手段により、表示部が非注目表示部であると判定された場合、非注目表示部に表示される映像の映像信号を、表示部が注目表示部である場合に注目表示部に表示される映像に較べて、相対的に目立たなくなるように調整する調整手段とを備えることを特徴とする。
【０００９】
調整手段は、表示部が非注目表示部である場合、映像信号に１以下の係数を乗じて映像信号を調整するようにすることができる。
【００１０】
調整手段は、表示部が非注目表示部である場合、映像信号を白黒の映像信号になるように調整するようにすることができる。
【００１１】
表示部が注目表示部である場合、表示されている映像がＣＭの映像であるか否かを判定するＣＭ判定手段をさらに備え、ＣＭ判定手段により注目表示部の映像がＣＭの映像であると判定された場合、調整手段は、ＣＭ判定手段によりＣＭの映像ではないと判定された場合の映像と較べて、相対的に目立たなくなるように注目表示部の映像信号を調整するようにすることができる。
【００１２】
指定条件を予め入力する入力手段と、非注目表示部の映像が、入力手段により入力された指定条件を満たすか否かを判定する条件判定手段とをさらに備え、条件判定手段により非注目表示部の映像が指定条件を満たさないと判定された場合、調整手段は、条件判定手段により映像が指定条件を満たすと判定された場合の映像と較べて、相対的に目立たなくなるように、非注目表示部の映像信号を調整するようにすることができる。
【００１３】
指定条件は、コンテンツのカテゴリであるようにすることができる。
【００１４】
本発明の映像信号処理方法は、表示部に対するユーザの視線を検出する視線検出ステップと、視線検出ステップの処理による検出結果に基づいて、表示部がユーザの視線が所定の時間以上検出されている注目表示部であるのか、ユーザの視線が所定の時間以上検出されない非注目表示部であるのかを判定する注目表示部判定ステップと、注目表示部判定ステップの処理により、表示部が非注目表示部であると判定された場合、非注目表示部に表示される映像の映像信号を、表示部が注目表示部である場合に注目表示部に表示される映像に較べて、相対的に目立たなくなるように調整する調整ステップとを含むことを特徴とする。
【００１５】
本発明の記録媒体のプログラムは、表示部に対するユーザの視線を検出する視線検出ステップと、視線検出ステップの処理による検出結果に基づいて、表示部がユーザの視線が所定の時間以上検出されている注目表示部であるのか、ユーザの視線が所定の時間以上検出されない非注目表示部であるのかを判定する注目表示部判定ステップと、注目表示部判定ステップの処理により、表示部が非注目表示部であると判定された場合、非注目表示部に表示される映像の映像信号を、表示部が注目表示部である場合に注目表示部に表示される映像に較べて、相対的に目立たなくなるように調整する調整ステップとを含むことを特徴とする。
【００１６】
本発明のプログラムは、表示部に対するユーザの視線を検出する視線検出ステップと、視線検出ステップの処理による検出結果に基づいて、表示部がユーザの視線が所定の時間以上検出されている注目表示部であるのか、ユーザの視線が所定の時間以上検出されない非注目表示部であるのかを判定する注目表示部判定ステップと、注目表示部判定ステップの処理により、表示部が非注目表示部であると判定された場合、非注目表示部に表示される映像の映像信号を、表示部が注目表示部である場合に注目表示部に表示される映像に較べて、相対的に目立たなくなるように調整する調整ステップとを含むことを特徴とする。
【００１７】
本発明の映像信号処理装置および方法、記録媒体、並びにプログラムにおいては、表示部がユーザの視線が所定の時間以上検出されない非注目表示部であると判定された場合、非注目表示部に表示される映像の映像信号が、ユーザの視線が所定の時間以上検出されている注目表示部であると判定された場合に注目表示部に表示される映像に較べて、相対的に目立たなくなるように調整される。
【００１８】
【発明の実施の形態】
以下、図を参照して本発明の実施の形態について説明する。
【００１９】
図１は、本発明を適用したテレビジョン受像システム１の構成例を示している。このテレビジョン受像システム１は、複数の独立したテレビジョン受像機１１−１乃至１１−９と、その９台のテレビジョン受像機を１台で制御できるリモートコントローラ（以下、リモコンと称する）２により構成されている。
【００２０】
この例においては、上段に、左から順に、テレビジョン受像機１１−１、１１−２および１１−３が組み合わされ、中段に、左から順に、テレビジョン受像機１１−４、１１−５および１１−６が組み合わされ、下段に、左から順に、テレビジョン受像機１１−７、１１−８および１１−９が組み合わされて構成されている。また、これらのテレビジョン受像機１１−１乃至１１−９は、それぞれが有する表示部１２−１乃至１２−９が、同一方向を向くように、同じ平面上になるように、並べられている。
【００２１】
なお、このテレビジョン受像システム１においては、９台のテレビジョン受像機により構成されているが、例えば、６台として、９台よりも少ない台数により構成するようにしてもよいし、１２台として、９台よりも多い台数により構成するようにしてもよい。また、その組み合わせ方、並べ方も、特に制限されない。
【００２２】
このテレビジョン受像機１１−１乃至１１−９は、それぞれの正面中央に、ＣＲＴ（Ｃａｔｈｏｄｅ　Ｒａｙ　Ｔｕｂｅ）またはＬＣＤ（Ｌｉｑｕｉｄ　Ｃｒｙｓｔａｌ　Ｄｉｓｐｌａｙ）からなる表示部１２−１乃至１２−９を有しており、表示部１２−１乃至１２−９は、対応するテレビジョン受像機１１−１乃至１１−９が受信した放送信号の映像を出力する。したがって、表示部１２−１乃至１２−９には、それぞれ違うコンテンツが表示される場合もあれば、同じコンテンツが表示される場合もある。
【００２３】
また、テレビジョン受像機１１−１乃至１１−９の表示部１２−１乃至１２−９の上部には、ＣＣＤ（Ｃｈａｒｇｅ−Ｃｏｕｐｌｅｄ　Ｄｅｖｉｃｅｓ）撮像素子を含むビデオカメラ、デジタルカメラなどにより構成される撮影部１３−１乃至１３−９が配置されており、撮影部１３−１乃至１３−９は、テレビジョン受像システム１を見るユーザ３を撮影する。この撮影部１３−１乃至１３−９により撮影された画像に基づいて、ユーザ３の視線が検出され、その結果により、テレビジョン受像機１１−１乃至１１−９の表示部１２−１乃至１２−９に表示される映像の輝度信号Ｙまたは色差信号ｕ，ｖの調整処理が制御される。
【００２４】
ユーザ３は、テレビジョン受像システム１に対面して、テレビジョン受像システム１を見ている。ユーザ３は、リモコン２を操作することにより、各テレビジョン受像機１１−１乃至１１−９の表示部１２−１乃至１２−９に好みのコンテンツを表示させる。また、ユーザ３は、リモコン２を操作することにより、自分の好みのコンテンツを予め指定したり、自分の好みのコンテンツが出力されているテレビジョン受像機１１を選択する。
【００２５】
なお、以下、これらのテレビジョン受像機１１−１乃至１１−９、表示部１２−１乃至１２−９、および、撮影部１３−１乃至１３−９を個々に区別する必要がない場合、単にテレビジョン受像機１１、表示部１２、および、撮影部１３と称する。
【００２６】
図２は、テレビジョン受像機１１の構成を表している。図２において、チューナ３２は、アンテナ３１を介して受信された放送信号を選局、復調し、デマルチプレクサ３３に出力する。デマルチプレクサ３３は、その放送信号を、映像信号、音声信号および付加情報に分離し、その中の映像信号をデコーダ部３４に出力する。デコーダ部３４は、映像信号を輝度処理部４０および色差処理部４１に出力する。なお、音声信号は、図示せぬオーディオデコーダ部に出力され、処理される。
【００２７】
また、デマルチプレクサ３３は、映像信号および音声信号をＣＭ検出部３５に出力し、付加情報をデータ処理部３６に出力する。ＣＭ検出部３５は、供給された映像信号および音声信号に基づいて、対応するコンテンツがＣＭのコンテンツであるか否かを検出し、その結果に基づいた信号を制御部３７に出力する。データ処理部３６は、供給された付加情報を復号し、制御部３７へ出力する。
【００２８】
受信部３８は、ユーザの操作に基づいたリモコン２からの指示信号（赤外線信号）を受信し、対応する検出信号を制御部３７に出力する。視線検出部３９は、撮影部１３により撮影されたユーザ３の画像に基づいて、ユーザ３の視線を検出する処理を実行し、その結果に基づいた信号を制御部３７に出力する。
【００２９】
制御部３７は、ＣＭ検出部３５から供給された検出結果信号、データ処理部３６から供給された付加情報、受信部３８から供給された指示信号、または、視線検出部３９から供給された検出結果信号に基づいて、輝度処理部４０および色差処理部４１を制御する。
【００３０】
輝度処理部４０は、制御部３７による制御のもと、デコーダ部３４により供給された映像信号としてのＹＵＶ信号のうちの、輝度信号Ｙを調整する処理を実行する。色差処理部４１は、制御部３７による制御のもと、デコーダ部３４により供給された映像信号としてのＹＵＶ信号のうちの、色差信号ｕ，ｖを調整する処理を実行する。
【００３１】
表示制御部４２は、輝度処理部４０により調整された輝度信号Ｙと、色差調整部４１により調整された色差信号ｕ，ｖを合成し、表示部１２に出力させる。
【００３２】
次に、図３のフローチャートを参照して、このテレビジョン受像システム１のテレビジョン受像機１１の表示制御処理を説明する。なお、この処理は、各テレビジョン受像機１１毎に実行される。
【００３３】
いまの場合、テレビジョン受像機１１−１乃至１１−９においては、それぞれ異なるコンテンツの放送信号が受信され、その映像が出力されているので、ユーザ３は、これらのうちの１台のテレビジョン受像機１１の表示部１２に出力されているコンテンツに注目し、それを見ている。
【００３４】
テレビジョン受像機１１の撮影部１３は、テレビジョン受像システム１を見るユーザの視線が検出できるように予め設定された範囲を常に撮影しており、撮影された画像を視線検出部３９に供給している。それに対応して、視線検出部３９は、ステップＳ１において、供給された画像に基づいて、ユーザ３を検出するまで待機しており、ユーザ３を検出したと判断した場合、ステップＳ２において、ユーザ３の視線検出処理を実行する。この視線検出処理について、図４のフローチャートを参照して説明する。
【００３５】
ステップＳ２１において、視線検出部３９は、供給された画像の色彩情報を用いて両目の輪郭を検出する。すなわち、視線検出部３９は、供給された画像の色彩情報から、例えば、肌、白目または黒目などの色領域を抽出し、抽出した色領域の境界を求めることなどにより、図５に示されるように、右目の輪郭Ｅおよび左目の輪郭Ｅを検出する。なお、図５には、片目のみが示されている。
【００３６】
ステップＳ２２において、視線検出部３９は、ステップＳ２１で求められた両目のそれぞれの輪郭Ｅに基づいて、右目の左右端点Ｇ１，Ｇ２の位置、および左目の左右の端点Ｇ１，Ｇ２の位置を基準として、図６に示されるような鼻孔を探索するための探索範囲ＮＥを決定し、その探索範囲ＮＥ内から鼻孔ＮＨの位置を検出する。
【００３７】
すなわち、より詳細に説明すると、視線検出部３９は、左右両目について、図５に示されるように、それぞれ目の輪郭Ｅを構成する画素集合の重心Ｑと、目の輪郭Ｅを構成する画素集合の２次モーメント（線に関する慣性）を最小にする線Ｍとを求め、さらに、目の輪郭Ｅを構成する画素集合の中から、線Ｍの方向において重心Ｑからの距離が最大距離Ｌ１，Ｌ２となる位置の画素を左右端点Ｇ１，Ｇ２として求める。次に、視線検出部３９は、図６に示されるように、右目の左右端点Ｇ１，Ｇ２の位置と、左目の左右端点Ｇ１，Ｇ２の位置とを基準とし、それら各左右端点Ｇ１，Ｇ２から下方側に、鼻孔を検索するための探索範囲ＮＥを決定する。ここで、鼻孔ＮＨ部分の画像は、他の部分の画像に較べて暗く写るので、視線検出部３９は、探索範囲ＮＥ内で輝度が低い画像部分を鼻孔ＮＨの位置として検出する。
【００３８】
ステップＳ２３において。視線検出部３９は、図７に示されるように、右目の左右端点Ｇ１，Ｇ２の位置と、左目の左右端点Ｇ１，Ｇ２の位置と、鼻孔ＮＨの位置との幾何学的な位置関係に基づいて、眼球ＥＢの中心位置ＥＣおよび眼球ＥＢの半径ｒを検出する。
【００３９】
ステップＳ２４において、視線検出部３９は、右目の輪郭Ｅおよび左目の輪郭Ｅ内の画像の輝度情報に基づいて、図６に示されるように、瞳孔ＥＡの中心位置ＥＡＣを検出する。
【００４０】
ステップＳ２５において、視線検出部３９は、図８に示されるように、ステップＳ２３において検出された眼球ＥＢの中心位置ＥＣと、ステップＳ２４において検出された瞳孔ＥＡの中心位置ＥＡＣとを結ぶベクトルＥＶを視線として検出し、その視線（ベクトルＥＶ）が、テレビジョン受像機１１の表示部１２を向いているか否かの判断を実行する。
【００４１】
以上のようにして、ユーザ３の視線が検出されると、視線検出部３９は、視線検出の結果信号を制御部３７に出力する。そこで、図３のステップＳ３において、制御部３７は、視線検出部３９の検出結果に基づいて、内蔵するクロックで計時動作を行って、ユーザ３の視線が、予め設定されている所定の時間以上検出されたか否か（すなわち、表示部１２が注目表示部であるのか、または、非注目表示部であるのか）を判断する。ステップＳ３において、表示部１２が、ユーザ３の視線が所定の時間以上検出された注目表示部であると判断された場合、ステップＳ４において、制御部３７は、輝度処理部４０を制御し、デコード部３４が出力する輝度信号Ｙが標準値になるように調整し（係数１を乗算し）、ステップＳ７に進む。
【００４２】
ステップＳ７において、制御部３７は、色差制御部４１を制御し、デコード部３４が出力する色差信号ｕ，ｖを、標準値になるように調整する。
【００４３】
ステップＳ３において、表示部１２が、ユーザ３の視線が所定の時間以上検出されなかった非注目表示部であると判断された場合、ステップＳ５において、制御部３７は、予め設定されている非注目表示部の画面の調整方法に基づいて、映像信号の輝度を低減するのか否かを判断する。この画面の調整方法とは、ユーザ３が注目して見ているテレビジョン受像機１１（注目表示部）の映像信号よりも、ユーザ３が注目していないテレビジョン受像機１１（非注目表示部）の映像信号を、相対的に目立たなくするための処理の方法であり、例えば、映像信号の輝度を低減するか、または、映像を白黒（モノクロ）の映像とさせるかのどちらかが、ユーザ３のリモコン２などの操作により予め設定されている。
【００４４】
したがって、ステップＳ５において、映像信号の輝度を低減すると判断された場合、ステップＳ６において、制御部３７は、輝度処理部４０を制御し、輝度信号Ｙに１以下（例えば、０．５）の係数を乗算し、映像信号の輝度を暗くするように調整する。色差信号ｕ，ｖは、ステップＳ７において、標準値に設定される。
【００４５】
一方、ステップＳ５において、映像信号の輝度を低減しない（すわなち、映像を白黒映像とする）と判断された場合、制御部３７は、ステップＳ８において、色差処理部４１を制御し、色差信号ｕ，ｖに係数０を乗算して、色差を調整させる。すなわち、これにより、映像信号は輝度信号のみ（白黒の映像）の映像信号となる。ステップ９において、制御部３７は、輝度処理部４０を制御し、ステップＳ４の処理と同様に、デコード部３４からの輝度信号Ｙに対して係数１を乗算して、輝度を標準値になるように調整し、その後、処理を、ステップＳ１０に進ませる。
【００４６】
ステップＳ１０において、表示制御部４２は、輝度処理部４０により調整された輝度信号Ｙ、および、色差処理部４１により調整された色差信号ｕ，ｖを合成し、表示部１２に出力し、表示させる。
【００４７】
以上のような処理が、各テレビジョン受像機１１において実行される。
【００４８】
したがって、ユーザ３の視線が所定の時間以上検出された注目表示部としてのテレビジョン受像機１１においては、ユーザ３の視線が所定の時間以上検出されていない、非注目表示部としての他のテレビジョン受像機１１において出力される映像信号に較べて相対的に目立つ（明るい）映像信号が出力される。
【００４９】
一方、ユーザ３の視線が所定の時間以上検出されなかった非注目表示部としてのテレビジョン受像機１１においては、ユーザ３の視線が所定の時間以上検出された注目表示部としてのテレビジョン受像機１１において出力される映像信号よりも、相対的に目立たない映像信号（この例の場合、暗い映像信号、または、白黒の映像信号）が出力される。
【００５０】
これにより、ユーザ３が見ている（注目している）テレビジョン受像機１１（注目表示部）以外のテレビジョン受像機１１（非注目表示部）において出力される映像信号は、輝度が低減されて出力されたり、または白黒で出力されるので、ユーザ３の視角的な負担が軽減される。
【００５１】
また、ユーザ３が視線を移動させるだけで、ユーザ３の視線に基づいて、テレビジョン受像機１１の映像信号の輝度あるいは色差が自動的に変更されるので、リモコン２による煩わしい操作が軽減される。
【００５２】
さらに、複数台のテレビジョン受像機１１により構成されているテレビジョン受像システムであっても、ユーザが見ていない（注目していない）テレビジョン受像機１１（非注目表示部）においては、輝度が低減されて出力されたり、白黒で出力されることにより、消費電力量が抑制される。
【００５３】
また、１台のテレビジョン受像機の表示部を複数の領域に分割し、マルチチャンネル化する場合よりも、画面の解像度が高くなるため、画面表示の品質が向上する。
【００５４】
なお、上記説明においては、ユーザ３が１人の場合を説明したが、ユーザが複数いる場合にも対応できる。その場合には、それぞれのユーザの視線を検出し、それに対応するテレビジョン受像機１１すべての映像信号を、他のテレビジョン受像機１１に較べて明るく出力するようにしてもよい。
【００５５】
次に、図９のフローチャートを参照して、このテレビジョン受像システム１のテレビジョン受像機１１の表示制御処理の他の例を説明する。なお、図９のステップＳ４１乃至Ｓ４３の処理は、図３のステップＳ１乃至Ｓ３の処理と同様の処理であり、繰り返しになるのでその説明は省略するが、この処理により、ユーザの視線が検出される。
【００５６】
ステップＳ４３において、表示部１２が、ユーザ３の視線が予め設定されている所定の時間以上検出された注目表示部であると判断された場合、ステップＳ４４において、制御部３７は、ＣＭ検出部３５における検出結果の信号に基づいて、デコーダ部３４によりデコードされた映像信号がＣＭの映像信号であるか否かを判断する。
【００５７】
具体的には、ＣＭ検出部３５は、デマルチプレクサ３３から供給された映像信号が、１５秒の整数倍で生成されているか、その映像信号に対応する音声信号がステレオ音声であるか、あるいは、その音声信号の出力レベルがＣＭ以外のコンテンツに比して大きいかなどの基準に基づいて、この映像信号がＣＭの映像信号であるか否かを検出し、その検出結果を制御部３７に出力する。その結果に対応して、ステップＳ４４において、制御部３７は、映像信号がＣＭの映像信号であるか否かを判断する。ステップＳ４４において、映像信号がＣＭの映像信号ではないと判断された場合、ステップＳ４５において、制御部３７は、輝度処理部４０を制御し、デコード部３４が出力する輝度信号Ｙに、１の係数を乗算して、輝度を標準値になるように調整する。
【００５８】
次に、ステップＳ４７において、制御部３７は、色差処理部４１を制御し、デコード部３４が出力する色差信号ｕ，ｖに係数１を乗算して、色差を標準値になるよう調整する。
【００５９】
一方、ステップＳ４３において表示部１２が、、ユーザ３の視線が所定の時間以上検出されなかった非注目表示部であると判断された場合、または、ステップＳ４４において、映像信号がＣＭの映像信号であると判断された場合、ステップＳ４６において、制御部３７は、輝度処理部４０を制御し、輝度信号に１以下の係数を乗算し、映像信号の輝度を暗くするように調整する。色差信号は、ステップ４７において、標準値に設定される。
【００６０】
ステップＳ４８において、表示制御部４２は、輝度処理部４０により調整された輝度信号Ｙ、および、色差処理部４１により調整された色差信号ｕ，ｖを合成し、表示部１２に出力し、表示させる。
【００６１】
以上の処理により、ユーザ３の視線が所定の時間以上検出された注目表示部であり、かつ、ＣＭ以外のコンテンツの映像信号を出力するテレビジョン受像機１１においては、非注目表示部であるテレビジョン受像機１１において出力される映像信号に較べて相対的に明るい（標準の）映像信号で出力される。
【００６２】
一方、ユーザ３の視線が所定の時間以上検出されなかった非注目表示部である場合、または、注目表示部であっても、そのテレビジョン受像機１１に受信された映像信号がＣＭの映像信号であった場合には、注目表示部であり、かつ、ＣＭ以外のコンテンツの映像信号を出力するテレビジョン受像機１１の映像信号（標準の映像信号）よりも相対的に目立たなく、暗い映像信号が出力される。
【００６３】
以上のように、ＣＭの映像信号の輝度を低減し、ＣＭではない映像信号の輝度をＣＭの映像信号よりも相対的に目立つように明るく出力するというようにすることもできる。
【００６４】
なお、上記説明においては、画面の調整方法が、映像信号の輝度を低減するようにして説明したが、映像信号を白黒信号とさせるようにしてもよい。
【００６５】
次に、図１０のフローチャートを参照して、このテレビジョン受像システム１のテレビジョン受像機１１の表示制御処理のさらに他の例を説明する。なお、図１０のステップＳ６１乃至Ｓ６３，Ｓ６５，Ｓ６６，Ｓ６９の処理は、図３のステップＳ１乃至Ｓ３，Ｓ４，Ｓ７，Ｓ１０の処理と同様の処理であり、繰り返しになるのでその説明は省略する。すなわち、これらの処理により、表示部１２が注目表示部であれば、表示部１２には、標準の映像が表示される。
【００６６】
これに対して、ステップＳ６３において、表示部１２が、ユーザ３の視線が予め設定されている所定の時間以上検出されなかった非注目表示部であると判断された場合、ステップＳ６４において、制御部３７は、データ処理部３６から入力される付属情報に基づいて、デコーダ部３４によりデコードされた映像信号が予め指定されたコンテンツであるか否かを判断する。
【００６７】
具体的には、データ処理部３６は、デマルチプレクサ３３から供給された付属情報をデコードし、それを制御部３７に出力する。この付属情報とは、この放送信号を提供する放送業者などにより映像信号に多重化された情報であり、その映像信号のコンテンツの内容、コンテンツのカテゴリ（例えば、ニュース、スポーツ、ドラマなど）などの情報により構成されている。ユーザ３は、注目したいコンテンツ（例えば、スポーツのコンテンツ）を、リモコン２を操作することにより、予め指定し、登録することができる。制御部３７は、データ処理部３６からの付属情報に基づいて、ステップＳ６４において、デコーダ部３４によりデコードされた映像信号が、ユーザにより予め指定されたコンテンツ（スポーツのコンテンツ）であるか否かを判断する。
【００６８】
ステップＳ６４において、映像信号が予め指定されたコンテンツの映像信号であると判断された場合、制御部３７は、ステップＳ６５，Ｓ６６，Ｓ６９の処理を実行し、その映像を標準の映像として表示させる。
【００６９】
一方、ステップＳ６４において、映像信号が予め指定されたコンテンツの映像信号ではないと判断された場合、ステップＳ６７において、制御部３７は、色差処理部４１を制御し、色差信号ｕ，ｖに係数０を乗算して、色差を調整させる。ステップ６８において、制御部３７は、デコード部３４からの輝度信号Ｙに係数１を乗算し、輝度を標準値に調整する。すなわち、いまの場合においては、制御部３７の制御により、この映像信号は、白黒の映像信号となる。
【００７０】
以上の処理により、ユーザ３の視線が所定の時間以上検出されなかった非注目表示部としてのテレビジョン受像機１１においては、白黒の映像信号が出力される。
【００７１】
一方、ユーザ３の視線が所定の時間以上検出された注目表示部である場合、または、非注目表示部であっても、予め指定されたコンテンツであった場合のテレビジョン受像機１１においては、非注目表示部としてのテレビジョン受像機１１において白黒の映像信号が出力されるのに対して、カラーの映像信号が出力される。
【００７２】
なお、上記説明においては、画面の調整方法が、映像信号を白黒にするようにして説明したが、映像信号の輝度を低減して出力させるようにしてもよい。
【００７３】
次に、図１１のフローチャートを参照して、このテレビジョン受像システム１のテレビジョン受像機１１の表示制御処理のさらに他の例を説明する。なお、図１１のステップＳ８１乃至Ｓ８９の処理は、基本的に図１０のステップＳ６１乃至Ｓ６９の処理と同様の処理であり、図１０のステップＳ６４で、コンテンツが予め指定されたコンテンツであるか否かが判定されているのに対して、図１１のステップＳ８４では、テレビジョンＩＤが同じであるか否かが判定される点のみが異なっている。
【００７４】
すなわち、ステップＳ８３において、表示部１２が、ユーザ３の視線が予め設定されている所定の時間以上検出されなかった非注目表示部であると判断された場合、ステップＳ８４において、制御部３７は、受信部３８からの指示信号に基づいて、このテレビジョン受像機１１のテレビジョンＩＤが指定されたテレビジョンＩＤと同じであるか否かを判断する。
【００７５】
具体的には、ユーザ３は、リモコン２を操作して、テレビジョン受像システム１を構成するテレビジョン受像機１１−１乃至１１−９のうち、他よりも明るく表示させたいテレビジョン受像機１１のテレビジョンＩＤを予め指定し、登録する。例えば、いまの場合、テレビジョン受像機１１−１のテレビジョンＩＤは、「１」、テレビジョン受像機１１−２のテレビジョンＩＤは、「２」、…、テレビジョン受像機１１−９のテレビジョンＩＤは、「９」というように一意的に設定されているので、ユーザは、テレビジョンＩＤ「１」乃至「９」の中から所定の番号を指定する。受信部３８は、リモコン２からのユーザ３の指定信号を受けて、それを制御部３７に出力する。これに対応して、制御部３７は、そのテレビジョンＩＤを内部のメモリに登録する。
【００７６】
ステップＳ８４において、非注目表示部のテレビジョン受像機１１のテレビジョンＩＤが、指定されたテレビジョンＩＤと同じであると判断された場合、ステップＳ８５，Ｓ８６，Ｓ８９の処理により、標準の画像表示が行われる。これに対して、非表示部のテレビジョン受像機１１のテレビジョンＩＤが、指定されたテレビジョンＩＤと同じではないと判断された場合、ステップＳ８７，Ｓ８８．Ｓ８９の処理により、白黒の映像信号が表示される。
【００７７】
以上の処理により、ユーザ３の視線が所定の時間以上検出されなかった非注目表示部のテレビジョン受像機１１においては、白黒の映像信号が出力される。
【００７８】
一方、ユーザ３の視線が所定の時間以上検出された注目表示部のテレビジョン受像機１１の場合、または、非注目表示部のテレビジョン受像機１１であっても、テレビジョン受像機１１のテレビジョンＩＤが、指定されたテレビジョンＩＤと同じである場合においては、非注目表示部のテレビジョン受像機１１において白黒の映像信号が出力されるのに対して、カラーの映像信号が出力される。
【００７９】
なお、画面の調整方法が、映像信号を白黒にするようにして説明したが、映像信号の輝度を低減して出力させるようにしてもよい。
【００８０】
以上のように、テレビジョン受像機１１のテレビジョンＩＤに基づいて、映像信号を白黒出力させたり、映像信号の輝度を低減させたりすることもできる。
【００８１】
なお、上記説明においてはユーザ３の視線が所定の時間以上検出されたか否かを判断した後に、ＣＭの映像信号であるか否か、指定されたコンテンツであるか否か、または、テレビジョン受像機１１のテレビジョンＩＤが同じであるか否かを判断させるようにしたが、いずれか１つだけを判断させるようにしてもよいし、その判断の組み合わせや順番は、自由に設定される。
【００８２】
本発明においては、各テレビジョン受像機１１に撮影部１３を設け、視線を検出するようにしたが、テレビジョン受像システム１の、例えば、中央に１台の撮影部および視線検出部を別に設け、それにより、視線がどのテレビジョン受像機１１の方向に検出されたか（どのテレビジョン受像機１１が非注目表示部、または、注目表示部であるか）を判断し、その結果を、各テレビジョン受像機１１に供給するようにしてもよい。
【００８３】
また、本発明は、複数チューナ内蔵の１台のテレビジョン受像機において、子画面提示（マルチウインドウ）表示させた場合にも適用することができる。ただし、その場合には、子画面化することによる画面表示の解像度の低下は抑制されない。
【００８４】
上述した一連の処理は、ハードウェアにより実行させることもできるが、ソフトウェアにより実行させることもできる。この場合、例えば、テレビジョン受信機１１は、図１２に示されるようなテレビジョン受信機７１により構成される。
【００８５】
図１２において、ＣＰＵ（Ｃｅｎｔｒａｌ　Ｐｒｏｃｅｓｓｉｎｇ　Ｕｎｉｔ）８１は、ＲＯＭ（Ｒｅａｄ　Ｏｎｌｙ　Ｍｅｍｏｒｙ）　８２に記憶されているプログラム、または、記憶部８８からＲＡＭ（Ｒａｎｄｏｍ　Ａｃｃｅｓｓ　Ｍｅｍｏｒｙ）８３にロードされたプログラムに従って各種の処理を実行する。ＲＡＭ８３にはまた、ＣＰＵ８１が各種の処理を実行する上において必要なデータなどが適宜記憶される。
【００８６】
ＣＰＵ８１、ＲＯＭ８２、およびＲＡＭ８３は、バス８４を介して相互に接続されている。このバス８４にはまた、入出力インタフェース８５も接続されている。
【００８７】
入出力インタフェース８５には、チューナ８６、キーボード、マウスなどよりなる入力部８７、ＣＲＴ（Ｃａｔｈｏｄｅ　Ｒａｙ　Ｔｕｂｅ），ＬＣＤ（Ｌｉｑｕｉｄ　Ｃｒｙｓｔａｌ　Ｄｉｓｐｌａｙ）などよりなるディスプレイ、並びにスピーカなどよりなる出力部８８、ハードディスクなどより構成される記憶部８９、モデム、ターミナルアダプタなどより構成される通信部９０が接続されている。通信部９０は、図示しないネットワークを介しての通信処理を行う。
【００８８】
入出力インタフェース８５にはまた、必要に応じてドライブ１０１が接続され、磁気ディスク１１１、光ディスク１１２、光磁気ディスク１１３、或いは半導体メモリ１１４などが適宜装着され、それから読み出されたコンピュータプログラムが、必要に応じて記憶部８９にインストールされる。
【００８９】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００９０】
この記録媒体は、図１２に示されるように、装置本体とは別に、ユーザにプログラムを提供するために配布される、プログラムが記録されている磁気ディスク１１１（フレキシブルディスクを含む）、光ディスク１１２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク１１３（ＭＤ（Ｍｉｎｉ−Ｄｉｓｋ）（商標）を含む）、もしくは半導体メモリ１１４などよりなるパッケージメディアにより構成されるだけでなく、装置本体に予め組み込まれた状態でユーザに提供される、プログラムが記録されているＲＯＭ８２や、記憶部８９に含まれるハードディスクなどで構成される。
【００９１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００９２】
【発明の効果】
以上の如く、本発明によれば、ユーザの視覚的負担を軽減できる。また、本発明によれば、操作性を良好なものとすることができる。さらに、本発明によれば、品質のよい表示画面が提供される。
【図面の簡単な説明】
【図１】本発明を適用したテレビジョン受像システムの構成例を示す図である。
【図２】図１のテレビジョン受像機の構成例を示すブロック図である。
【図３】図２のテレビジョン受像機の表示制御処理を説明するフローチャートである。
【図４】図３のステップＳ２の視線検出処理を説明するフローチャートである。
【図５】目の両端位置検出の処理を説明する図である。
【図６】鼻孔の位置検出範囲を説明する図である。
【図７】目の両端位置、鼻孔位置、眼球中心位置を説明する図である。
【図８】視線の方向検出の処理を説明する図である。
【図９】図２のテレビジョン受像機の表示制御処理の他の例を説明するフローチャートである。
【図１０】図２のテレビジョン受像機の表示制御処理のさらに他の例を説明するフローチャートである。
【図１１】図２のテレビジョン受像機の表示制御処理のさらに他の例を説明するフローチャートである。
【図１２】図１のテレビジョン受像機の他の構成例を示すブロック図である。
【符号の説明】
１　テレビジョン受像システム，２　リモコン，３　ユーザ，１１，１１−１乃至１１−９　テレビジョン受像機，１２，１２−１乃至１２−９　表示部，１３，１３−１乃至１３−９　撮影部，３５　ＣＭ検出部，３６　データ処理部，３７　制御部，３８　受信部，３９　視線検出部，４０　輝度処理部，４１　色差処理部，４２　表示制御部
【図１】
2004070103.tif 000003
【図２】
2004070103.tif 000004
【図３】
2004070103.tif 000005
【図４】
2004070103.tif 000006
【図５】
2004070103.tif 000007
【図６】
2004070103.tif 000008
【図７】
2004070103.tif 000009
【図８】
2004070103.tif 000010
【図９】
2004070103.tif 000011
【図１０】
2004070103.tif 000012
【図１１】
2004070103.tif 000013
【図１２】
2004070103.tif 000014